(57)【要約】      （修正有）【課題】ドレン溢れを未然に防ぐことが可能となるとともに、消費電力削減により、省エネ運転が図れるショーケースを提供する。【解決手段】冷却器は付着する霜を定期的に溶かす除霜工程を設けるとともに、冷却器からのドレン水の発生量によっては、ドレン水の蒸発を促す凝縮器冷却用ファン６の回転数を通常運転より増速し、同時に冷却能過多とならぬよう、冷却運転能力を低下させる。【選択図】図１
2014025627.tif 000002
【特許請求の範囲】
【請求項１】
断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、該吹出口から吹き出す冷気で開口に冷気エアカーテンを形成して商品出し入れ用の開口を閉塞するとともに、商品収納庫内を冷却する冷凍冷蔵ショーケースにおいて、冷却器は付着する霜を定期的に溶かす除霜工程を設けるとともに、冷却器からのドレン水の発生量によっては、ドレン水の蒸発を促す凝縮器冷却用のファンの回転を通常運転より増速し、同時に、冷却能過多とならぬよう、冷却運転能力を低下させることを特徴としたショーケース。
【請求項２】
凝縮器冷却用ファンの回転数を通常運転より増速するのは、冷却器の除霜開始後一定時間もしくはドレン水の量の増加が減じた時点までとする請求項１記載のショーケースの。
【請求項３】
凝縮器冷却用ファンの回転数が最大時は、ブザー、ランプで警報を行う請求項１または請求項２記載のショーケース。
【発明の詳細な説明】
【技術分野】
【０００１】
本発明は、特にドレン水蒸発用を兼ねる凝縮器用ファンの制御の改善にかかるショーケースに関するものである。
【背景技術】
【０００２】
下記特許文献１にもあるが、図２に示すように、スーパーマーケットなどの店舗に設置されるオープンタイプの縦型冷凍冷蔵ショーケースは、ショーケース本体の下部に形成される機械室３内に凝縮器２や圧縮機などにより構成される冷凍装置を配設し、ショーケース本体の背面側に設置した冷却器で冷却した冷気で商品収納庫１内に収納した商品を冷却するもので、冷気は循環される。図中４は蒸発皿、６は凝縮器冷却用ファン、７は蒸発板、８はショーケースコントローラを示す。
【特許文献１】特開２００８−１８０５３２号公報
【０００３】
前記蒸発皿４は冷凍サイクルの一部を構成する凝縮器の後方に設けられた凝縮器冷却用ファン６の背面に配置し、凝縮器冷却用ファン６を蒸発皿４上のドレン水の蒸発促進に兼用している。
【０００４】
図中５は、ドレン水の満水を検知する水位検知センサーで、超音波センサを使用し、この水位検知センサーと水面との距離を測定することで水位を計測する。蒸発皿４の上方に水位検知センサー５を設置し、ここから水面に向けて発信した超音波が水面に反射して戻り受信されるまでの時間を計測して水位検知センサー５と水面との距離、すなわち水位を計測する。
【０００５】
また、下記特許文献２は、ドレン水蒸発用の蒸発皿と、前記蒸発皿のドレン水を蒸発させる蒸発用ヒータと、前記蒸発皿の水位を検知する検知センサーを設け、この検知センサで検知した水位情報に基づき、所定時間前記蒸発用ヒータには通電せず、前記凝縮器冷却用ファンを高速回転して前記蒸発皿に送風し、ドレン水の蒸発促進を行い、所定時間経過後蒸発用ヒータに通電するように制御するもので、蒸発皿の水位を検知センサで検知してドレン水を蒸発させるため、第１段階として、兼用凝縮器冷却用ファンを通常回転以上に強制的に回転数を上げ、ドレン水の蒸発の促進を図り、第２段階として、所定時間経過後に蒸発用ヒータに通電して蒸発を促進させるようにしている。
【特許文献２】特許第４２４６５８５号公報
【発明の概要】
【発明が解決しようとする課題】
【０００６】
従来の内蔵形ショーケースに設けられた凝縮器用ファンは、ＡＣモータであり、回転数が一定（固定）のため、ショーケースが設置される環境によってはドレン蒸発量が不安定となり、予備タンクを併設してもケース外にドレンが溢れることがあった。また、凝縮器用ファンの騒音も大きく、消費電力も高いことが問題であった。
【０００７】
また、特許文献１のものは、凝縮器冷却用ファンによる温風ですべてのドレン水を蒸発させるものであり、蒸発皿上のドレン水の蒸発面積が大きく取れる場合は、このような手法が可能であるが、小形化されたショーケースでは、蒸発皿の面積が小さく、単に、凝縮器冷却用ファンによる温風を当てるだけでは全てのドレン水を蒸発させることは困難である。
【０００８】
特許文献２のものは、凝縮器冷却用ファンを高速回転して前記蒸発皿に送風し、ドレン水の蒸発促進を行うのでドレン溢れを未然に防ぐことが可能となるが、ファン速度を上げた場合は、冷却能過多となり、余分なエネルギーを消費することになる。
【０００９】
本発明の目的は前記従来例の不都合を解消し、ドレン溢れを未然に防ぐことが可能となるとともに、消費電力削減により、省エネ運転が図れるショーケースを提供することにある。
【課題を解決するための手段】
【００１０】
前記目的を達成するため請求項１記載の本発明は、断熱壁で形成されるショーケース本体の内部を、商品出し入れ用の開口を有し、商品の陳列棚を有する商品収納庫と、その外側の冷気循環ダクトとに庫内壁面板で区画し、該冷気循環ダクト内に冷却器を配設し、冷気循環ダクトの下端を空気の吸込口に、上端を冷気の吹出口に形成し、該吹出口から吹き出す冷気で開口に冷気エアカーテンを形成して商品出し入れ用の開口を閉塞するとともに、商品収納庫内を冷却するショーケースにおいて、冷却器は付着する霜を定期的に溶かす除霜工程を設けるとともに、冷却器からのドレン水の発生量によっては、ドレン水の蒸発を促す凝縮器冷却用のファンの回転を通常運転より増速し、同時に冷却能過多とならぬよう、冷却運転能力を低下させることを要旨とするものである。
【００１１】
請求項１記載の本発明によれば、内蔵形ショーケースに設けられた水位検知センサーにて、ドレン量を一定間隔でモニタし、ショーケース制御装置にあらかじめ設定された水位レベルと比較、検知したドレン量がこの設定値より大の場合は、ショーケース制御装置からの指示によりショーケースに複数個設けられた回転数増減が可能な凝縮器冷却用ファン（ＤＣモータ）の回転数をＵＰさせ、凝縮器を通過する風量を増し、ドレンの蒸発を加速させ、ドレン溢れを未然に防ぐことが可能となる。また、凝縮器冷却用ファンの回転数が増加することにより、凝縮能力が増加し、インバータ圧縮機の運転周波数が下がることにより、冷却能過多とならぬように、冷却運転能力を下げ、あわせて省エネを図れる。
【００１２】
請求項２記載の本発明は、凝縮器冷却用ファンの回転数を通常運転より増速するのは、冷却器の除霜開始後一定時間もしくはドレン水の量の増加が減じた時点までとすることを要旨とするものである。
【００１３】
請求項２記載の本発明によれば、凝縮器冷却用ファンの回転数を通常運転より増速するのは、冷却器の除霜開始後一定時間もしくはドレン水の量の増加が減じた時点までとするので、ドレン溢れが発生する時点を確実に捉えて対処することができる。
【００１４】
請求項３記載の本発明は、凝縮器冷却用ファンの回転数が最大時は、ブザー、ランプで警報を行うことを要旨とするものである。
【００１５】
請求項３記載の本発明によれば、凝縮器冷却用ファンの回転数が最大時はそれ以上のドレンの蒸発の促進が不可能であり、ドレン溢れが発生するおそれがあることをブザー、ランプで警報することができる。
【発明の効果】
【００１６】
以上述べたように本発明のショーケースは、ドレン溢れを未然に防ぐことが可能となるとともに、消費電力削減により、省エネ運転が図れるものである。
【図面の簡単な説明】
【００１７】
【図１】本発明のショーケースの１実施形態を示すブロック図である。
【図２】オープンショーケースの斜視図である。
【発明を実施するための最良の形態】
【００１８】
以下、図面について本発明の実施の形態を詳細に説明する。図１は本発明の本発明の冷凍冷蔵ショーケースの運転方法の１実施形態を示すブロック図で、図中、９はショーケース制御装置で、この中に外部警報回路１０が形成され、凝縮器冷却用ファン６を蒸発皿４上のドレン水の蒸発促進に兼用している。
【００１９】
図中５は、ドレン水の満水を検知する水位検知センサーで、この水位検知センサー５の検知出力をショーケース制御装置９に導入し、凝縮器冷却用ファン６の回転数をショーケース制御装置９からの出力で制御するとともに、外部警報回路１０からの出力でブザー、ランプ等１１を作動させる。
【００２０】
本発明の運転方法を実施するショーケースとしては、前記図２について説明したものであり、ショーケース本体の下部に形成される機械室３内に凝縮器２や圧縮機などにより構成される冷凍装置を配設し、ショーケース本体の背面側に設置した冷却器で冷却した冷気で商品収納庫１内に収納した商品を冷却するもので、冷気は循環される。
【００２１】
前記蒸発皿４は冷凍サイクルの一部を構成する凝縮器の後方に設けられた凝縮器冷却用ファン６の背面に配置し、凝縮器冷却用ファン６を蒸発皿４上のドレン水の蒸発促進に兼用している。
【００２２】
ドレン水の満水を検知する水位検知センサー５は超音波センサーを使用し、この水位検知センサーと水面との距離を測定することで水位を計測する。蒸発皿４の上方に水位検知センサー５を設置し、ここから水面に向けて発信した超音波が水面に反射して戻り受信されるまでの時間を計測して水位検知センサー５と水面との距離、すなわち水位を計測する。
【００２３】
また、凝縮器冷却用ファン６はショーケースに複数個設けられたもので、ＤＣモータで駆動され、回転数増減が可能なものである。
【００２４】
冷却器への着霜を除去するために、夜間等に冷却器の運転を停止して、定期的に溶かす除霜運転時間を設けている。
【００２５】
水位検知センサー５で、ドレン量を一定間隔でモニタし、ショーケース制御装置９にあらかじめ設定された水位レベルと比較、検知したドレン量がこの設定値より大の場合は、ショーケース制御装置９からの指示により凝縮器冷却用ファン６（ＤＣモータ）の回転数を増加させ、凝縮器を通過する風量を増し、ドレンの蒸発を加速させる。
【００２６】
これにより、ドレン溢れを未然に防ぐことが可能となる。
【００２７】
また、凝縮器冷却用ファン６の回転数が増加することにより、凝縮能力が増加し、インバータ圧縮機の運転周波数が下がる。同時に、冷却能過多とならぬよう、冷却運転能力を低下させる。
【００２８】
これは、凝縮器冷却用ファン６の回転数を上げた段階で、その時に動いているインバータ圧縮機の周波数を、所定量下げ、その後温度制御を行うことで実現できる。
【００２９】
なお、他の実施形態として、凝縮器冷却用ファン６の回転数を上げることで、冷却能力が上がり、庫内温度が下がるので、温度制御により結果として、インバータ圧縮機の周波数が下がるようにしてもよい。インバータ圧縮機６を使用する温度制御は、ショーケース庫内温度の増減をインバータ圧縮機の周波数を増減させることで一定にさせることによる。
【００３０】
この方法は、冷却能力が上がると庫内温度が下がり、この下がった温度をあがるため、インバータ圧縮機の周波数を下げていくものである。だだし、前者の方法に比べて追従が遅いので、省エネ視点を強くしたい場合には、前者の方法が好適である。
【００３１】
このように、凝縮器冷却用ファン６の回転数を通常運転より増速するのは、冷却器の除霜開始後一定時間もしくはドレン水の量の増加が減じた時点までとする。
【００３２】
騒音として、インバータ圧縮機の周波数を下げるより、ファンの空気音の方が支配的であり、風を強くすると、埃を舞わせることになり、凝縮器目詰まり防止フィルタをすぐ詰まらせることになる。
【００３３】
よって、バランス点を探して、風速を決める。その風速をさらに上げると、当然デメリットが増えるため、必要範囲で留めるものとする。
【００３４】
なお、ドレン水の水位（水量）は、超音波センサを用いているため、増減をリニアに測定することができる。その結果、ドレン水の増加傾向が出た段階より、風量を上げ、減じて、所定量に下がれば、元に戻すことが正しい姿であり、かかる修正を行う。
【００３５】
以上のようにして、水位検知センサー５で検知したドレン量が設定値より小の場合は、ショーケースが軽負荷状態であると判断し、凝縮器冷却用ファン６の回転数を低下させ、消費電力の削減およびファン騒音の低減を図ることが可能である。
【００３６】
また、水位検知センサー５で検知したドレン量が設置値より大であり、凝縮器冷却用ファン６の回転数が最大時は、ショーケース制御装置９内に設けられた外部警報回路１０からの信号により、外部にブザー、ランプ等１１を接続することで、ドレン溢れ予知し、外部に警報することが可能である。
【００３７】
このブザー、ランプ等１１には、ブザー、ランプの他に、操作パネルの液晶表示器などがある。
【符号の説明】
【００３８】
１…商品収納庫                    ２…凝縮器
３…機械室                        ４…蒸発皿
５…水位検知センサー              ６…凝縮器冷却用ファン
７…蒸発板                        ８…ショーケースコントローラ
９…ショーケース制御装置          １０…外部警報回路
１１…ブザー、ランプ等
【図１】
2014025627.tif 000003
【図２】
2014025627.tif 000004